(57)【要約】【課題】商品の存在しない売場外でも、所望の商品がリアルタイムで検索できるオフライン商品の検索システム及びその方法を提供する。【解決手段】携帯用端末を用いたオフライン商品の検索システムは、携帯用端末から商品検索語と位置情報を受信する送受信部、位置情報に基づいて携帯用端末から予め設定された距離内に位置し、商品検索語と関連した商品が存在するオフライン売場情報を検索する売場情報検索部、オフライン売場情報を地図上に表示し、携帯用端末に提供する地図情報提供部及び携帯用端末によって地図上に表示されたオフライン売場情報のいずれかのオフライン売場が選択された場合、選択されたオフライン売場が保有している前記商品検索語と関連した商品の詳細情報を提供する商品情報提供部を含む。【選択図】図１
2009252248.tif 000002
【特許請求の範囲】
【請求項１】
携帯用端末を用いたオフライン商品の検索システムであって、
前記携帯用端末から商品検索語と位置情報を受信する送受信部、
前記位置情報に基づいて前記携帯用端末から予め設定された距離内に位置し、前記商品  検索語と関連した商品が存在するオフライン売場情報を検索する売場情報検索部、
前記オフライン売場情報を地図上に表示して前記携帯用端末に提供する地図情報提供部、及び
前記携帯用端末によって前記地図上に表示されたオフライン売場情報のいずれかのオフライン売場が選択された場合、前記選択されたオフライン売場が保有している前記商品検索語と関連した商品の詳細情報を提供する商品情報提供部、
を含むことを特徴とする商品検索システム。
【請求項２】
前記携帯用端末によって前記地図上に表示されたオフライン売場情報のいずれかのオフライン売場が選択された場合、前記地図情報提供部は前記選択されたオフライン売場までの経路情報を前記携帯用端末に提供することを特徴とする、請求項１に記載の商品検索システム。
【請求項３】
前記商品の詳細情報は、商品の価格、製造日付、製造会社、在庫量及び売場内の位置のうち少なくとも一つ以上を含むことを特徴とする、請求項１に記載の商品検索システム。
【請求項４】
前記携帯用端末から受信した商品検索語に基づき、前記携帯用端末の商品選好度を算出する選好度算出部をさらに含むことを特徴とする、請求項１に記載の商品検索システム。
【請求項５】
前記算出された商品選好度及び前記携帯用端末の位置情報に基づき、前記携帯用端末に地域広告を提供する地域広告提供部をさらに含むことを特徴とする、請求項４に記載の商品検索システム。
【請求項６】
前記算出された商品選好度及び前記携帯用端末の位置情報に基づき、前記携帯用端末にイベント情報やクーポン情報を提供するイベント提供部をさらに含むことを特徴とする、請求項４に記載の商品検索システム
【請求項７】
前記地図情報提供部は、前記オフライン売場情報を前記携帯用端末に隣接した順に地図上に表示し、前記携帯用端末に提供することを特徴とする、請求項１に記載の商品検索システム。
【請求項８】
前記位置情報は、前記移動端末のＧＰＳ（Ｇｌｏｂａｌ  Ｐｏｓｉｔｉｏｎｉｎｇ  Ｓｙｓｔｅｍ）情報または前記移動端末が属した基地局の位置情報であることを特徴とする、請求項１に記載の商品検索システム。
【請求項９】
前記商品に関する詳細情報は、ＲＦＩＤ（Ｒａｄｉｏ  Ｆｒｅｑｕｅｎｃｙ  ＩＤｅｎｔｉｆｉｃａｔｉｏｎ）タグを使って、収集、分類及び管理されることを特徴とする、請求項１に記載の商品検索システム。
【請求項１０】
携帯用端末を用いたオフライン商品の検索方法であって、
携帯用端末から商品検索語が入力され、前記携帯用端末の位置情報を受信するステップ、
前記位置情報を用いて前記商品検索語と関連した商品が存在するオフライン売場を検索し、前記検索されたオフライン売場の位置を地図上に表示し、前記携帯用端末に提供するステップ、
前記検索されたオフライン売場に行くための経路情報を地図上に表示し、前記携帯用端末に提供するステップ、及び
前記検索されたオフライン売場内に存在する前記商品検索語と関連した商品に関する情報を提供するステップ、を含み、
前記商品に関する情報は、商品の価格、製造日付、在庫量及び売場内の商品位置のうち少なくとも一つを含む
ことを特徴とする商品検索方法。
【請求項１１】
前記携帯用端末から提供された前記商品検索語を格納するステップ、
前記商品検索語を用いて前記携帯用端末別に商品の選好度を算出するステップ、及び
前記算出された選好度に基づいて前記携帯用端末別に好む商品に対するイベント情報、クーポン情報及び地域広告情報のうち少なくとも一つ以上を提供するステップ、
をさらに含む、請求項１０に記載の商品検索方法。
【請求項１２】
前記検索されたオフライン売場の位置を地図上に表示し、前記携帯用端末に提供するステップは、前記検索された前記オフライン売場情報を前記携帯用端末に隣接した順に地図上に表示して前記携帯用端末に提供することを特徴とする、請求項１０に記載の商品検索方法。
【請求項１３】
請求項１０ないし請求項１２のいずれかに記載の携帯用端末を用いたオフライン商品の検索方法をコンピュータ上で実行させるためのプログラム。
【発明の詳細な説明】
【技術分野】
【０００１】
本発明は、オフライン商品の検索システム及びその方法に関し、より詳しくは、携帯用端末にて検索語を入力してオフライン商品を検索するシステム及びその方法に関する。
【背景技術】
【０００２】
携帯用端末が飛躍的に発展するにつれて携帯用端末の通信品質が向上することは勿論、携帯用端末に備えられるプロセッサーの性能が向上されると共に、メモリのリソースが増大し、携帯用端末は通信だけでなく様々な機能を行うことができるようになった。
【０００３】
これによって、携帯用端末のユーザーは、実生活に有益な付加サービス機能を必要とするようになり、特に、物品の購買活動や消費活動などと関連して有益な付加サービス機能を必要とするようになった。
【０００４】
デパートやディスカウントショップなどで製品を購入するとき、携帯用端末のユーザーもインターネットユーザーのように各売場の物品情報の提供を受ける必要があり、これによって、ユーザーの購買活動に有益な付加サービスの提供が必要となった。
【０００５】
従来の携帯用端末を用いた商品検索方法として、携帯用端末に組み込まれたＲＦＩＤ（Ｒａｄｉｏ  Ｆｒｅｑｕｅｎｃｙ  ＩＤｅｎｔｉｆｉｃａｔｉｏｎ）リーダーを使って、商品に取り付けられたＲＦＩＤタグを認識して商品を検索する方法があった。この場合、携帯用端末のユーザーは、ＲＦＩＤタグが取り付けられた商品が存在する売場内のみで商品を検索することが可能であるため、商品の存在しない売場外では商品検索ができないという問題があった。
【０００６】
また、従来の携帯用端末を用いた商品検索方法は、検索された商品が存在する売場の位置や売場に移動するための経路情報を提供していないことは勿論、ユーザーの好む商品群を分析して、地域広告、イベント情報及びクーポン情報なども提供していなかった。
【０００７】
よって、携帯用端末のユーザーが売場の位置や移動経路を知っていない場合は、検索された売場に移動し難いという問題があり、地域広告、イベント情報、クーポン情報の提供無しに商品検索サービスのみを通じてユーザーの購買意欲を高めることには限界があった。
【０００８】
一方、先行技術(例えば、特許文献１)には、「ＲＦＩＤポータルサービスシステム及びその方法」という名称の発明が開示されている。
【０００９】
この先行技術は、特定の商品を表すキーワードを用いて、ＲＦＩＤタグが取り付けられた商品情報を検索し、商品分類リスト及び商品の詳細情報をユーザー端末に伝送する技術に関する。
【００１０】
しかし、前述の先行技術は、ユーザー端末の現位置情報を用いて、近くの売場情報を提供するか、または売場の経路情報を提供していなかったため、ユーザーが所望する商品がある売場に移動し難いという問題があった。さらに、ユーザーの購買意欲を刺激するために、ユーザーの好む商品を分析して、各ユーザーに好適な広告情報、クーポン情報、イベント情報などを提供する必要があった。
【先行技術文献】
【特許文献】
【００１１】
【特許文献１】大韓民国登録特許第10-0753467号公報
【発明の概要】
【発明が解決しようとする課題】
【００１２】
本発明は、前述の従来技術の問題点を解決するためになされたものであり、商品の存在しない売場外でも、所望の商品がリアルタイムで検索できるオフライン商品の検索システム及びその方法を提供することを目的とする。
【００１３】
なお、本発明は、検索された商品が存在する売場の位置情報を、現位置に隣接した順に提供するだけでなく、ユーザーが所望する商品がある売場に容易に移動可能にするオフライン商品の検索システム及びその方法を提供することを目的とする。
【００１４】
また、本発明は、各ユーザーに適切な地域広告、イベント情報及びクーポン情報を提供して、ユーザーの購買意欲を高めるオフライン商品の検索システム及びその方法を提供することを目的とする。
【課題を解決するための手段】
【００１５】
本発明の第１の態様におけるオフライン商品の検索システムは、携帯用端末から商品検索語と位置情報を受信する送受信部、前記位置情報に基づいて前記携帯用端末から予め設定された距離内に位置し、前記商品検索語と関連した商品が存在するオフライン売場情報を検索する売場情報検索部、前記オフライン売場情報を地図上に表示して前記携帯用端末に提供する地図情報提供部、及び前記携帯用端末によって前記地図上に表示されたオフライン売場情報のいずれかのオフライン売場が選択された場合、前記選択されたオフライン売場が保有している前記商品検索語と関連した商品の詳細情報を提供する商品情報提供部、を含む。
【００１６】
本発明の第２の態様におけるオフライン商品の検索方法は、携帯用端末から商品検索語が入力され、前記携帯用端末の位置情報を受信するステップ、前記位置情報を用いて前記商品検索語と関連した商品が存在するオフライン売場を検索し、前記検索されたオフライン売場の位置を地図上に表示し、前記携帯用端末に提供するステップ、前記検索されたオフライン売場に行くための経路情報を地図上に表示し、前記携帯用端末に提供するステップ、及び前記検索されたオフライン売場内に存在する前記商品検索語と関連した商品に関する情報を提供するステップ、を含み、前記商品に関する情報は、商品の価格、製造日付、在庫量及び売場内の商品位置のうち少なくとも一つを含む。
【発明の効果】
【００１７】
前述の本発明の構成により、携帯用端末を使って商品検索語を入力することで、ＲＦＩＤ（Ｒａｄｉｏ  Ｆｒｅｑｕｅｎｃｙ  Ｉｄｅｎｔｉｆｉｃａｔｉｏｎ）タグ情報として管理されるオフライン商品が検索できるため、ＲＦＩＤリーダーが組み込まれていない携帯用端末を用いて、商品の存在しない売場外でも商品が検索できる効果がある。
【００１８】
また、検索された商品が存在する売場の位置及び売場に移動するための経路情報が提供されるため、ユーザーが所望する売場に容易に移動できるという効果がある。
【００１９】
また、携帯用端末別に検索した商品検索語を分析して商品に対する選好度を把握することで、携帯用端末に、地域広告、イベント情報、クーポン情報が提供されるため、販売者はユーザーの購買欲求を刺激でき、且つ、ユーザーはより経済的にショッピングすることができるようになる。
【図面の簡単な説明】
【００２０】
【図１】本発明の一実施の形態に係る携帯用端末を用いたオフライン商品の検索システムの詳細構成図。
【図２】本発明の一実施の形態に係る売場別商品検索結果テーブルを示した図。
【図３】本発明の一実施の形態に係る携帯用端末を用いたオフライン商品の検索方法を示したフローチャート。
【図４】本発明の一実施の形態に係る携帯用端末に、地域広告、イベント情報、またはクーポン情報を提供する方法を示したフローチャート。
【図５】本発明の一実施の形態に係る携帯用端末を用いたオフライン商品の検索画面の一例を示した図。
【発明を実施するための形態】
【００２１】
以下、添付された図面を参照して、本発明の一実施の形態を詳細に説明する。なお、以下の説明において、「オフライン売り場」とは、インターネット又はその他の有・無線ネットワークに接続した端末を介して商品の選択及び支払いなどのできるサービスを提供しない売り場を意味する。「オフライン商品」とは、オフライン売り場で販売している商品を意味する。
【００２２】
図１は、本発明の一実施の形態に係る携帯用端末を用いたオフライン商品の検索システムの詳細構成図である。
【００２３】
図１に示すように、本発明の一実施の形態に係る携帯用端末を用いたオフライン商品の検索システムは、携帯用端末１００、商品検索サーバー２００及び売場別商品情報サーバー３００を含む。
【００２４】
携帯用端末１００は、商品検索サーバー２００へ商品検索語を送信し、商品検索サーバー２００から検索結果を受信してディスプレイする機能を有する。前記携帯用端末１００は、無線インターネットを介してオフライン商品の検索サービスに接続して検索語を入力するか、商品検索サーバー２００へＳＭＳ（Ｓｈｏｒｔ  Ｍｅｓｓａｇｅ  Ｓｅｒｖｉｃｅ）データを伝送する方式にて商品検索語を送信することができる。
【００２５】
よって、ユーザーはＲＦＩＤ（Ｒａｄｉｏ  Ｆｒｅｑｕｅｎｃｙ  ＩＤｅｎｔｉｆｉｃａｔｉｏｎ）リーダーが組み込まれていない携帯用端末１００を持っている場合にも、売場外で商品の検索することが可能になる。
【００２６】
本明細書における携帯用端末１００は、例えば、携帯電話、ＰＤＡ（Ｐｅｒｓｏｎａｌ  Ｄｉｇｉｔａｌ  Ａｓｓｉｓｔａｎｔ）、ラップトップ（ｌａｐｔｏｐ）、ノート・パンコン、キオスク、ＵＭＰＣ（Ｕｌｔｒａ  Ｍｏｂｉｌｅ  ＰＣ）、テブレットＰＣ（Ｔａｂｌｅｔ  ＰＣ）などを含む。
【００２７】
商品検索サーバー２００は、携帯用端末１００から商品検索語を受信し、前記商品検索語と関連した商品が存在するオフライン売場の情報及び商品情報を検索して携帯用端末１００に提供すると共に、商品に関する地域広告情報、イベント情報及びクーポン情報などを携帯用端末１００に提供する。
【００２８】
売場別商品情報サーバー３００は、オフライン売場別に、商品に関するあらゆる情報を収集及び管理する役割をする。前記商品の詳細の情報は、例えば、商品の価格、製造日付、在庫量及び売場内の位置などを含み、前記商品情報はＲＦＩＤタグを使って収集、分類及び管理可能である。
【００２９】
また、本発明の一実施の形態に係る商品検索サーバー２００は、送受信部２１０、売場情報検索部２２０、地図情報提供部２３０、商品情報提供部２４０、選好度算出部２５０、地域広告提供部２６０及びイベント提供部２７０を含む。
【００３０】
送受信部２１０は、携帯用端末１００から商品検索語を受信して格納し、商品検索結果を携帯用端末に提供する役割をする。また、送受信部２１０は、携帯用端末１００から位置情報を受信する役割をする。位置情報は、例えば、携帯用端末１００のＧＰＳ（Ｇｌｏｂａｌ  Ｐｏｓｉｔｉｏｎｉｎｇ  Ｓｙｓｔｅｍ）情報、位置基盤サービス（ＬＢＳ：Ｌｏｃａｔｉｏｎ  Ｂａｓｅ  Ｓｅｒｖｉｃｅ）を用いた位置情報、携帯用端末１００が属する基地局の位置情報などを含むことができる。
【００３１】
売場情報検索部２２０は、商品検索語と関連した商品が存在するオフライン売場を、売場別商品情報サーバー３００から検索する役割をする。売場情報検索部２２０は、携帯用端末１００の位置情報に基づき、携帯用端末１００から予め設定された距離内に位置して、前記商品検索語と関連した商品が存在するオフライン売場に対して検索を行うことができる。
【００３２】
地図情報提供部２３０は、売場情報検索部２２０で検索されたオフライン売場情報を地図上に表示し、携帯用端末１００に提供する役割をする。前記検索されたオフライン売場情報が地図上に表示される際には、携帯用端末１００に隣接した順に、アルファベットや数字などで番号が付されて表示されるようになる。
【００３３】
また、地図情報提供部２３０は、オフライン売場に移動するための経路情報を携帯用端末１００に提供する役割をする。地図上に表示されたオフライン売場情報のいずれかのオフライン売場が選択された場合、その選択されたオフライン売場までの経路情報が携帯用端末１００に提供されることができる。経路情報は、例えば、現位置、選択されたオフライン売場の位置及び移動経路が全て一画面に表示された形態として提供可能である。よって、ユーザーは移動を希望するオフライン売場に容易に移動可能である。
【００３４】
商品情報提供部２４０は、検索されたオフライン売場内に存在する商品の詳細情報を携帯用端末１００に提供する役割をする。商品情報提供部２４０は、地図上に表示されたオフライン売場情報のいずれかのオフライン売場が選択された場合、その選択されたオフライン売場が保有している商品の詳細情報を提供することができる。
【００３５】
商品の詳細情報は、例えば、商品の価格、製造日付、製造会社、在庫量及び売場内の位置などを含む。また、商品の詳細情報は、売場別商品情報サーバー３００から、商品毎に取り付けられているＲＦＩＤタグを用いてリアルタイムで収集、分類及び管理可能である。
【００３６】
選好度算出部２５０は、携帯用端末１００から受信した商品検索語に基づき、携帯用端末１００別に商品の選好度を算出する役割をする。選好度算出部２５０は、検索された商品の名称、種類及び商品別の検索回数などを用いて商品の選好度を算出することができる。選好度算出部２５０によって算出された選好度は、それぞれの携帯用端末１００に、差別化された地域広告、イベントまたはクーポンサービスなどを提供することに利用される。
【００３７】
地域広告提供部２６０は、携帯用端末１００に、商品に関する地域広告を提供する役割をする。地域広告提供部２６０は、算出された商品の選好度及び携帯用端末１００の位置情報に基づき、選好度の高い商品に対して、携帯用端末１００に隣接した地域の業社から広告情報の提供を受け、携帯用端末１００に差別化された地域広告を提供することができる。
【００３８】
よって、ユーザーは、携帯用端末１００を通じて自分が好む商品及び隣接した地域に存在する商品に対して地域広告の提供を受けるようになるため、広告主は最大限の広告効果が得られるようになる。
【００３９】
イベント提供部２７０は、携帯用端末１００に、商品に対するイベント情報及びクーポン情報を提供する役割をする。イベント提供部２７０は、算出された商品の選好度及び携帯用端末１００の位置情報に基づき、選好度の高い商品に対して、携帯用端末１００に隣接した地域の業社からイベント情報、クーポン情報などの提供を受け、携帯用端末１００に、そのイベント情報、クーポン情報などを提供することができる。
【００４０】
よって、ユーザーは興味のある商品に対してのみイベント、クーポン情報の提供を受けるようになるため、より積極的にイベントに参加してクーポンを使うようになる。それで、ユーザーはより経済的にショッピングができ、販売者は最大限のマーケティング効果が得られるようになる。
【００４１】
また、本発明の一実施の形態に係る売場別商品情報サーバー３００は、売場情報部３１０及び商品情報部３２０を含む。
【００４２】
売場情報部３１０は、売場に関する情報を管理し、前記売場情報を商品検索サーバー２００に提供する役割をする。売場情報は、例えば、売場の名称、住所、規模、紹介文などの情報を含む。前記売場情報は、例えば、地図上に表示されて携帯用端末１００に提供することができる。
【００４３】
商品情報部３２０は、売場内の商品の詳細情報を携帯用端末１００に提供する役割をする。商品の詳細情報は、例えば、商品の名称、商品の陳列された位置、商品の価格、製造会社、流通期限、在庫量などを含む。商品情報部３２０は、例えば、商品に取り付けられているＲＦＩＤタグを通じて、商品の詳細情報をリアルタイムで収集、分類及び管理可能である。よって、商品情報部３２０は、リアルタイムでより正確に商品情報を管理して更新できるようになる。
【００４４】
図２は、本発明の一実施の形態に係る売場別商品情報テーブルの一例を示した図である。商品検索サーバー２００の商品情報提供部２４０は、売場別商品情報テーブルから商品を検索して、その検索結果を携帯用端末１００に提供し、ユーザーは検索された商品を比較して、商品選択に必要な情報が得られるようになる。
【００４５】
図２に示すように、本発明の一実施の形態に係る売場別商品情報テーブルは、商品名フィールド４００、価格フィールド４０２、製造会社フィールド４０４、在庫量フィールド４０６及び位置フィールド４０８を含む。また、検索結果の信頼性を高めるために、検索語（図示せず）フィールドをさらに含むことができ、前記フィールド値は、商品に取り付けられているＲＦＩＤタグを通じてリアルタイムで管理及び更新が可能である。
【００４６】
以下、図３を参照して、本発明の一実施の形態に係る携帯用端末１００を用いたオフライン商品の検索方法について説明する。
【００４７】
図３は、本発明の一実施の形態に係る携帯用端末１００を用いたオフライン商品の検索方法を示したフローチャートである。
【００４８】
先ず、送受信部２１０は、携帯用端末１００から商品検索語を受信し（Ｓ３００）、携帯用端末１００の位置情報を受信する（Ｓ３０２）。
【００４９】
それから、売場情報検索部２２０は、受信した商品検索語と関連した商品が存在するオフライン売場情報を検索する（Ｓ３０４）。売場情報検索部２２０は、携帯用端末１００の位置情報に基づいて、携帯用端末１００から予め設定された距離内に位置し、前記商品検索語と関連した商品が存在するオフライン売場情報が検索可能である。
【００５０】
それから、地図情報提供部２３０は、検索されたオフライン売場情報を地図上に表示して携帯用端末１００に提供し（Ｓ３０６）、携帯用端末１００によって前記地図上に表示されたオフライン売場情報のいずれかのオフライン売場が選択される（Ｓ３０８）。
【００５１】
次いで、携帯用端末１００によって前記選択されたオフライン売場に行ける道探し命令が入力されたか否かを判断する（Ｓ３１０）。
【００５２】
前記判断の結果（Ｓ３１０）、道探し命令が入力されていない場合は、商品情報提供部２４０は、直ちにオフライン売場内の商品情報を携帯用端末１００に提供する（Ｓ３１４）。
【００５３】
前記判断の結果（Ｓ３１０）、道探し命令が入力された場合は、地図情報提供部２３０は、選択されたオフライン売場に行く経路情報を携帯用端末１００に提供し（Ｓ３１２）、その後、商品情報提供部２４０は、オフライン売場内の商品情報を携帯用端末１００に提供する（Ｓ３１４）。
【００５４】
以下、図４を参照して、本発明の一実施の形態に係る携帯用端末１００に、地域広告、イベント情報及びクーポン情報を提供する方法を説明する。
【００５５】
図４は、本発明の一実施の形態に係る携帯用端末１００に、地域広告、イベント情報またはクーポン情報を提供する方法を示したフローチャートである。
【００５６】
先ず、送受信部２１０は、携帯用端末１００から商品検索語を受信し（Ｓ４００）、前記受信した商品検索語を別のＤＢに格納する（Ｓ４０２）。
【００５７】
次いで、選好度算出部２５０は、前記格納された商品検索語に基づき、携帯用端末１００毎に商品選好度を算出する（Ｓ４０４）。選好度算出部２５０は、検索された商品の名称、種類及び商品別の検索回数などを用いて商品の選好度を算出することができる。
【００５８】
それから、送受信部２１０は、携帯用端末１００の位置情報を受信する（Ｓ４０６）。前記位置情報は、例えば、ＧＰＳ（Ｇｌｏｂａｌ  Ｐｏｓｉｔｉｏｎｉｎｇ  Ｓｙｓｔｅｍ）情報、携帯用端末１００が属した基地局の位置情報などを含む。
【００５９】
そして、地域広告提供部２６０は、前記算出された商品選好度及び前記携帯用端末１００の位置情報に基づいて、携帯用端末１００に地域広告を提供する（Ｓ４０８）。また、イベント提供部２７０は、前記算出された商品選好度及び前記携帯用端末１００の位置情報に基づいて、携帯用端末１００にイベント情報やクーポン情報を提供する（Ｓ４０８）。
【００６０】
図５は、本発明の一実施の形態に係る携帯用端末１００を用いたオフライン商品の検索画面の一例を示した図である。
【００６１】
図５に示すように、携帯用端末１００を用いたオフライン商品の検索画面は、商品検索画面５１０、位置情報地図画面５２０及び経路情報地図画面５３０を含む。
【００６２】
商品検索画面５１０は、携帯用端末１００が商品検索サーバー２００に接続すると、携帯用端末１００にディスプレイされる。ユーザーは検索窓に所望の商品を入力して商品検索を行うことができる。これと違って、携帯用端末１００がＳＭＳを介して商品検索サーバー２００に商品検索語を伝送することもできる。
【００６３】
売場情報地図画面５２０は、携帯電話端末１００に提供される地図画面であって、検索された商品が存在するオフライン売場が表示されている地図画面である。売場情報地図画面５２０には、携帯用端末１００の現位置が表示され、オフライン売場の位置が携帯用端末１００位置に近い順にアルファベットや数字で番号が付されて表示されることができる。
【００６４】
経路情報地図画面５３０は、携帯用端末１００によって地図画面上に表示されたオフライン売場情報のいずれかのオフライン売場が選択された場合に、その選択されたオフライン売場までの経路情報が表示された地図画面である。前記経路情報は、現位置、選択されたオフライン売場の位置及び移動経路が全て一画面に表示して提供することができ、様々なナビゲーション画面で構成することもできる。
【００６５】
上述の機能を実現する本実施形態の携帯用端末１００、商品検索サーバー２００及び売場別商品情報サーバー３００の各機能は、コンピュータが所定のプログラム命令を実行することで実現可能である。そのようなプログラム命令は、コンピュータで読取可能な記録媒体で提供されてもよい。当該記録媒体は、上述したように本発明の実施例による方法を実行させるためのプログラム又はプロセスを記録する。この記録媒体はプログラム命令、データファイル、データ構造などを単独又は組み合わせて含むことができる。このような記録媒体の例としては、ハードディスク、フロッピー（登録商標）ディスク及び磁気テープのような磁気媒体、ＣＤおよびＤＶＤのような光記録媒体、フロプティカルディスク（ｆｌｏｐｔｉｃａｌ ｄｉｓｋ）と磁気-光媒体、ＲＯＭ、ＲＡＭ、フラッシュメモリなどのようなプログラム命令を保存し遂行するように構成されたハードウェア装置などがある。また、このような記録媒体は、プログラム命令、データ構造などを指定する信号を伝送する搬送波を含む光又は金属線、導波管などの伝送媒体であってよい。プログラム命令の例としては、コンパイラーにより作られるような機械語コードだけでなく、インタープリタなどを使用してコンピュータにより実行され得る高級言語コードを含む。
【００６６】
以上、本発明の詳細な説明では具体的な実施形態について説明したが、本発明の要旨から逸脱しない範囲内で多様に変形できる。よって、本発明の権利範囲は、上述の実施形態に限定されるものではなく、特許請求の範囲の記載及びこれと均等なものに基づいて定められるべきである。
【符号の説明】
【００６７】
１００  携帯用端末
２００  商品検索サーバ
２１０  送受信部
２２０  売場情報検索部
２３０  地図情報提供部
２４０  商品情報提供部
２５０  選好度算出部
２６０  地域広告提供部
２７０  イベント提供部
３００  売場別商品情報サーバ
３１０  売場情報部
３２０  商品情報部
【図１】
2009252248.tif 000003
【図２】
2009252248.tif 000004
【図３】
2009252248.tif 000005
【図４】
2009252248.tif 000006
【図５】
2009252248.tif 000007